【手続補正書】
【提出日】平成15年6月3日(2003.6.3)
【手続補正１】
【補正対象書類名】明細書
【補正対象項目名】特許請求の範囲
【補正方法】変更
【補正の内容】
【特許請求の範囲】
【請求項１】
ピクセル化画像形成デバイス上に表示するための画像データを処理する方法であって、
画像入力を前置補償フィルタリングして前置補償フィルタピクセル値を形成する段階を含み、前記前置補償フィルタリングは、１をピクセル伝達関数で除したものに等しい関数に近似する伝達関数を有するフィルタにより実行され、この実行は、少なくとも、上限が前記ピクセル化画像形成デバイスのナイキスト周波数を越えない周波数範囲に亘ってなされ、この方法は更に、
前記前置補償フィルタピクセル値を前記ピクセル化画像形成デバイス上に表示させる段階を含む方法。
【請求項２】
請求項１の方法において、
少なくとも２つは整列していない複数の重畳されたピクセル化画像形成デバイスの各々について画像入力を前置補償フィルタリングして、前置補償フィルタリングされたピクセル値の多重セットを形成する段階と、
前記複数の重畳されたピクセル化画像形成デバイス上に前記多重前置補償フィルタリングされたピクセル値を表示する段階とを更に含む方法。
【請求項３】
請求項２の方法において、
多重前置補償フィルタリングされたピクセル値を６つの画像形成デバイス上に表示する段階を更に含み、その６つの画像形成デバイスは４つの空間位相ファミリ内に位置し、その第1及び第３空間位相ファミリの各々は個別の画像形成デバイスに対応し、その画像形成デバイスの各々は与えられた緑クロミナンス値であり、且つ第２及び第４空間位相ファミリの各々は、一対の整列された画像形成デバイスに対応し、その各一対の画像形成デバイスは、与えられた青クロミナンス値である画像形成デバイスと、与えられた赤クロミナンス値である画像形成デバイスとを有する方法。
【請求項４】
請求項３の方法において、前記４つの空間位相ファミリは、前記ピクセル化画像形成デバイスの対角ピクセル寸法の４分の１だけ互いに斜方向にオフセットしている方法。
【請求項５】
請求項２の方法において、
多重前置補償フィルタリングされたピクセル値を３つの画像形成デバイス上に表示する段階を更に含み、その３つの画像形成デバイスは２つの空間位相ファミリ内に位置し、その第1空間位相ファミリは、与えられた緑クロミナンス値である画像形成デバイスに対応し、且つ第２空間位相ファミリの各々は、一対の整列された画像形成デバイスに対応し、その各一対の画像形成デバイスは、与えられた青クロミナンス値である画像形成デバイスと、与えられた赤クロミナンス値である整列された画像形成デバイスとに対応する方法。
【請求項６】
請求項５の方法において、前記２つの空間位相ファミリは、前記ピクセル化画像形成デバイスの対角ピクセル寸法の２分の１だけ互いに斜方向にオフセットしている方法。
【請求項７】
請求項１の方法において、前記前置補償フィルタリング段階は、
結果的な利得限界に等しい伝達関数を有する前置補償フィルタにより画像入力をフィルタリングし、且つ１をピクセル伝達関数で除したものに等しい関数をクリッピングすることを含む方法。
【請求項８】
請求項７の方法において、前記前置補償フィルタ伝達関数が、前記ピクセル化画像形成デバイスのナイキスト周波数を越えない周波数でクリップされている方法。
【請求項９】
請求項７の方法において、前記前置補償フィルタ伝達関数が、前記ピクセル化画像形成デバイスのナイキスト周波数を越える周波数でクリップされている方法。
【請求項１０】
請求項７の方法において、
前記ピクセル化画像形成デバイスの各ピクセルについてのフィルタリングされた認知基礎ピクセル値を生じるように、認知基礎ピクセル値フォーマットにある画像入力データを前置補償フィルタリングする段階と、
前記ピクセル化画像形成デバイスの各ピクセルについて、フィルタリングされた認知基礎ピクセル値の各々を対応する色値へ変換する段階とを更に含む方法。
【請求項１１】
請求項１の方法において、
有限インパルス応答フィルタの係数を演算する段階と、
前記有限インパルス応答フィルタにより前記画像入力を前置補償フィルタリングする段階とを更に含む方法。
【請求項１２】
請求項１の方法において、前記前置補償フィルタリングする段階が、
結果的な利得限界に等しい伝達関数を有する前置補償フィルタにより画像入力をフィルタリングすると共に、次式に等しい関数をクリッピングし、
2003521748.tif 000001
ここで関数Sinc[ｘ]は次式として規定され、
2003521748.tif 000002
且つ“*”はコンボルーションを示し、ｕ，Ｖは空間周波数変数である方法。
【請求項１３】
請求項２の方法において、前記前置補償フィルタリングする段階が、
結果的な利得限界に等しい伝達関数を有する前置補償フィルタにより画像入力をフィルタリングすると共に、１をピクセル伝達関数で除したものに等しい関数をクリッピングすることを含む方法。
【請求項１４】
請求項１３の方法において、前記前置補償フィルタ伝達関数が、前記ピクセル化画像形成デバイスのナイキスト周波数を越えない周波数でクリップされている方法。
【請求項１５】
請求項１３の方法において、前記前置補償フィルタ伝達関数が、前記ピクセル化画像形成デバイスのナイキスト周波数を越える周波数でクリップされている方法。
【請求項１６】
請求項１３の方法において、
前記ピクセル化画像形成デバイスの各ピクセルについてのフィルタリングされた認知基礎ピクセル値を生じるように、認知基礎ピクセル値フォーマットにある画像入力データを前置補償フィルタリングする段階と、
前記ピクセル化画像形成デバイスの各ピクセルについて、フィルタリングされた認知基礎ピクセル値の各々を対応する色値へ変換する段階とを更に含む方法。
【請求項１７】
請求項２の方法において、
有限インパルス応答フィルタの係数を演算し、この係数演算は少なくとも２つの整列していない重畳されたピクセル化画像形成デバイスの間の空間位相シフトについて調整される段階と、
前記有限インパルス応答フィルタにより前記画像入力を前置補償フィルタリングする段階とを更に含む方法。
【請求項１８】
請求項２の方法において、前記前置補償フィルタリングする段階が、
結果的な利得限界に等しい伝達関数を有する前置補償フィルタにより画像入力をフィルタリングすると共に、次式に等しい関数をクリッピングし、
2003521748.tif 000003
ここで関数Sinc[ｘ]は次式として規定され、
2003521748.tif 000004
且つ“*”はコンボルーションを示し、ｕ，Ｖは空間周波数変数である方法。
【請求項１９】
請求項２の方法において、
少なくとも２つの画像形成デバイスを２つの空間次元において互いに関して空間的に位相シフトさせることにより、重畳されたピクセル化画像形成デバイスの少なくとも２つを非整列にさせる段階を更に含む方法。
【請求項２０】
請求項１９の方法において、前記少なくとも２つの画像形成デバイスを非整列にさせる段階が、
方形ピクセルの少なくとも２つのアレイを空間的に位相シフトさせ、この空間的位相シフトは等しい水平及び垂直成分を有することを含む方法。
【請求項２１】
請求項１９の方法において、前記少なくとも２つの画像形成デバイスを非整列にさせる段階が、
方形ピクセルの少なくとも２つのアレイを空間的に位相シフトさせ、この空間的位相シフトは異なる大きさの水平及び垂直成分を有することを含む方法。
【請求項２２】
請求項１９の方法において、
重畳されたピクセル化画像形成デバイスの少なくとも２つの画像形成デバイスを空間的に整列させる段階を更に含む方法。
【請求項２３】
請求項２の方法において、
光学特性、物理的特性、スケール、回転角、アスペクト比、及び相対的線形オフセットからなるグループから選択された異なる特性を有する画像形成デバイスを用いることにより、重畳されたピクセル化画像形成デバイスの少なくとも２つを互いに関して非整列にさせる段階を更に含む方法。
【請求項２４】
画像を表示する方法であって、
複数の画像入力データセットを時間マルチプレキシング光学的表示デバイスへ与える段階を含み、各画像入力データセットはピクセル値を含み、前記画像入力データセットは少なくとも２つの重畳された非整列表示データセットに対応し、
前記方法は更に、
第１の時間において、前記少なくとも２つの重畳された非整列表示データセットの第１の表示データセットに対応するピクセル値を表示するように、前記時間マルチプレキシング光学的表示デバイスを用いる段階と、
第２の時間において、前記少なくとも２つの重畳された非整列表示データセットの第２の表示データセットに対応するピクセル値を表示するように、前記時間マルチプレキシング光学的表示デバイスを用いる段階とを含む方法。
【請求項２５】
請求項２４の方法において、
前記時間マルチプレキシング光学的表示デバイスが、その光学系を第１の時間と第２の時間との間で移動させる方法。
【請求項２６】
請求項２５の方法において、
前記時間マルチプレキシング光学的表示デバイスを用いて、６つの表示データセットに対応するピクセル値を表示させる段階を更に含み、その６つの表示データセットは４つの空間位相ファミリ内に位置し、その第1及び第３空間位相ファミリの各々は、緑クロミナンス値からなる個別の表示データセットに対応し、且つ第２及び第４空間位相ファミリの各々は、一対の整列された表示データセットに対応し、その各一対の表示データセットは、青クロミナンス値からなる表示データセットと、赤クロミナンス値からなる表示データセットとを有する方法。
【請求項２７】
請求項２６の方法において、前記４つの空間位相ファミリが、前記表示データセットの対角ピクセル寸法の４分の１だけ互いに斜方向にオフセットしている方法。
【請求項２８】
請求項２５の方法において、
前記時間マルチプレキシング光学的表示デバイスを用いて、３つの表示データセットに対応するピクセル値を表示させる段階を更に含み、その３つの表示データセットは２つの空間位相ファミリ内に位置し、その第1の空間位相ファミリは、緑クロミナンス値からなる表示データセットに対応し、且つ第２の空間位相ファミリは、青クロミナンス値からなる表示データセットと、赤クロミナンス値からなる表示データセットとを有する方法。
【請求項２９】
請求項２８の方法において、前記２つの空間位相ファミリが、前記表示データセットの対角ピクセル寸法の２分の１だけ互いに斜方向にオフセットしている方法。
【請求項３０】
請求項２５の方法において、
画像入力データセットの各々を前置補償フィルタリングして前置補償フィルタピクセル値を形成する段階を更に含み、前記前置補償フィルタリングは、結果的な利得限界に等しい伝達関数を有するフィルタにより実行され、且つ１をピクセル伝達関数で除したものに等しい関数をクリッピングする方法。
【請求項３１】
請求項３０の方法において、前記前置補償フィルタ伝達関数が、前記ディスプレイデータセットのナイキスト周波数を越えない周波数でクリップされている方法。
【請求項３２】
請求項３０の方法において、前記前置補償フィルタ伝達関数が、前記ディスプレイデータセットのナイキスト周波数を越える周波数でクリップされている方法。
【請求項３３】
請求項３０の方法において、
各画像入力データセットの各ピクセルについてのフィルタリングされた認知基礎ピクセル値を生じるように、認知基礎ピクセル値フォーマットにある画像入力データセットを前置補償フィルタリングする段階と、
各画像入力データセットの各ピクセルについて、フィルタリングされた認知基礎ピクセル値の各々を対応する色値へ変換する段階とを更に含む方法。
【請求項３４】
請求項３０の方法において、前記前置補償フィルタリングする段階が、
結果的な利得限界に等しい伝達関数を有する前置補償フィルタにより画像入力をフィルタリングすると共に、次式に等しい関数をクリッピングし、
2003521748.tif 000005
ここで関数Sinc[ｘ]は次式として規定され、
2003521748.tif 000006
且つ“*”はコンボルーションを示し、ｕ，Ｖは空間周波数変数である方法。
【請求項３６】
画像を表示する方法であって、
少なくとも２つは非整列である複数の重畳されたピクセル化画像形成デバイス上の表示のためにピクセル値を生成するように画像入力データセットを処理する段階と、
前記複数の重畳されたピクセル化画像形成デバイス上に前記ピクセル値を表示する段階とを含む方法。
【請求項３７】
請求項３６の方法において、
６つの画像形成デバイス上にピクセル値を表示させる段階を更に含み、その６つの画像形成デバイスはは４つの空間位相ファミリ内に位置し、その第1及び第３空間位相ファミリの各々は、個別の画像形成デバイスに対応し、その各々は与えられた緑クロミナンス値であり、且つ第２及び第４空間位相ファミリの各々は、一対の整列された画像形成デバイスに対応し、その各一対は、青クロミナンス値である画像形成デバイスと、赤クロミナンス値である画像形成デバイスとを有する方法。
【請求項３８】
請求項３７の方法において、前記４つの空間位相ファミリが、ピクセル化画像形成デバイスの対角ピクセル寸法の４分の１だけ互いに斜方向にオフセットしている方法。
【請求項３９】
請求項３６の方法において、
３つの画像形成デバイス上にピクセル値を表示させる段階を更に含み、その３つの画像形成デバイスは２つの空間位相ファミリ内に位置し、その第1の空間位相ファミリは、与えられた緑クロミナンス値である画像形成デバイスに対応し、且つ第２の空間位相ファミリは、与えられた青クロミナンス値である画像形成デバイスと、与えられた赤クロミナンス値である整列された画像形成デバイスとに対応する方法。
【請求項４０】
請求項３９の方法において、前記２つの空間位相ファミリが、前記ピクセル化画像形成デバイスの対角ピクセル寸法の２分の１だけ互いに斜方向にオフセットしている方法。
【請求項４１】
請求項３６の方法において、
少なくとも２つの画像形成デバイスを２つの空間次元において互いに空間的に位相シフトさせることにより、重畳されたピクセル化画像デバイスの少なくとも２つを非整列にさせる方法。
【請求項４２】
請求項４１の方法において、前記少なくとも２つの画像形成デバイスを非整列にさせる段階が、
方形ピクセルの少なくとも２つのアレイを互いに関して空間的に位相シフトさせ、この空間的位相シフトは等しい水平及び垂直成分を有することを含む方法。
【請求項４３】
請求項４１の方法において、前記少なくとも２つの画像形成デバイスを非整列にする段階が、方形ピクセルの少なくとも２つのアレイを互いに関して空間的に位相シフトさせる段階を含み、この空間的位相シフトは大きさの異なる水平及び垂直成分を有する方法。
【請求項４４】
請求項４１の方法において、重畳されたピクセル化画像形成デバイスの少なくとも２つの画像形成デバイスを空間的に整列させる段階を更に含む方法。
【請求項４５】
請求項３６の方法において、
光学特性、物理的特性、スケール、回転角、アスペクト比、及び相対的線形オフセットからなるグループから選択された異なる特性を有する画像形成デバイスを用いることにより、重畳されたピクセル化画像形成デバイスの少なくとも２つを互いに関して非整列にさせる段階を更に含む方法。
【請求項４６】
画像を検出する方法であって、
少なくとも２つが非整列である重畳されたピクセル化画像形成デバイスのセットにより画像からの光を検出する段階を含む方法。
【請求項４７】
請求項４６の方法において、
ビームスプリッタを用いて前記画像からの光を成分へ分割する段階と、
前記重畳されたピクセル化画像形成デバイスの１つによる受光のために各成分を指向させる段階とを含む方法。
【請求項４８】
請求項４７の方法において、
ダイクロイックプリズムを用いて光を成分へ分割し、各成分は別個の色周波数帯である段階を更に含む方法。
【請求項４９】
請求項４８の方法において、
前記重畳されたピクセル化画像形成デバイスの別の１つによる受光のために個別の成分の各々を指向させる段階とを含む方法。
【請求項５０】
請求項４９の方法において、
画像からの光を６つの色周波数範囲に分割する段階を更に含む方法。
【請求項５１】
請求項４９の方法において、
全ての検出された画像について、前記重畳されたピクセル化画像形成デバイスの各々により受け取られた色成分値により与えられた規定を満足する最低エネルギ信号で、受光された成分を解くことにより受光された成分を処理する段階を更に含む方法。
【請求項５２】
請求項５１の方法において、
最低エネルギルミナンス及び色相違信号を解く段階を更に含む方法
【請求項５３】
請求項４９の方法において、
重畳されたピクセル化画像形成デバイスの各々に関連する色周波数においてそのデバイスの各々の矢及び正接周波数応答について調整することにより、重畳されたピクセル化画像形成デバイスの各々から受け取られた色成分値を処理する段階を更に含む方法。
【請求項５４】
請求項４９の方法において、
ルミナンス、Cｂ及びCｒ信号の人間の知覚に基づき色成分を重み付けすることにより、受け取られた色成分値を処理する段階を更に含む方法。
【請求項５５】
請求項４９の方法において、
受け取られた色成分を、それを受け取った前記重畳された画像形成デバイスの２次元周波数応答及び空間位相について調整するように処理する段階を更に含む方法。
【請求項５６】
画像を検出する方法であって、
時間マルチプレキシングピクセル化画像形成デバイスにより、第１の時間及び第１の位置で画像からの光を検出する段階と、
前記時間マルチプレキシングデバイスを第２の位置へ移動させることにより、前記時間マルチプレキシングデバイスのピクセル化センサを、前記時間マルチプレキシングデバイスが第１の位置にあったときに前記ピクセル化センサが占める空間的位置から空間的に位相シフトさせ且つ重畳させる段階と、
前記時間マルチプレキシングピクセル化画像形成デバイスにより、第２の時間及び第２の位置で画像からの光を検出する段階とを含む方法。
【請求項５７】
請求項５６の方法において、
ビームスプリッタを用いて前記画像からの光を成分へ分割する段階と、
少なくとも第１の位置及び第２の位置を含む別々の位置で、前記時間マルチプレキシングピクセル化画像形成デバイスによる個別の受け取りのために前記成分を指向させる段階とを更に含む方法。
【請求項５８】
請求項５７の方法において、
全ての検出された画像について、前記別々の位置の各々において前記時間マルチプレキシングピクセル化画像形成デバイスにより受け取られた色成分値により与えられた規定を満足する最低エネルギ信号で、前記受け取られた成分を解くことにより、この受け取られた成分を処理する段階を更に含む方法。
【請求項５９】
請求項５７の方法において、
ルミナンス、Cｂ及びCｒ信号の人間の知覚に基づき色成分を重み付けすることにより、受け取られた色成分値を処理する段階を更に含む方法。
【請求項６０】
動画像を記録する方法であって、
ビームスプリッタを用いて前記画像からの光を成分へ分割する段階と、
少なくとも２つが非整列の重畳されたピクセル化画像形成デバイスのセットの１つによる受け取りのために前記成分を指向させる段階と、
重畳されたピクセル化画像形成デバイスの各々により受け取られた成分値を個別に記録する段階とを含む方法。
【請求項６１】
動画像を記録する方法であって、
ビームスプリッタを用いて前記画像からの光を成分へ分割する段階と、
少なくとも２つが非整列の重畳されたピクセル化画像形成デバイスのセットの１つによる受け取りのために前記成分を指向させる段階と、
前記重畳されたピクセル化画像形成デバイスにより受け取られたルミナンス信号組み合わせ成分値を記録する段階と、
前記重畳されたピクセル化画像形成デバイスにより受け取られた２つの色の異なる信号組み合わせ成分値を記録する段階とを含む方法。
【請求項６２】
請求項６１の方法において、
双方の次元における解像度が色の異なる信号の２倍の解像度を有するルミナンス信号を記録する段階を更に含む方法。
【請求項６３】
請求項６２の方法において、
３つの重畳されたピクセル化画像形成デバイスにより得られた信号を記録する段階とを含む方法。
【請求項６４】
請求項６２の方法において、
３つの重畳されたピクセル化画像形成デバイスにより得られた信号を記録する段階とを含む方法。
【請求項６５】
記録された動画像を再生する方法であって、
記録画像をフィルタリング及び内挿する段階と、
少なくとも２つが非整列の重畳されたピクセル化画像形成デバイスのセット上にフィルタリング及び内挿された画像を表示する段階とを含む方法。
【請求項６６】
請求項６５の方法において、
重畳されたピクセル化画像形成デバイスの中の記録された画像のエネルギを分割する段階を更に含み、この分割は人間の色知覚に従って画像形成デバイスの中から重み付けされる方法。
【請求項６７】
記録された動画像を再生する方法であって、
記録画像をフィルタリング及び内挿する段階と、
時間マルチプレキシング画像形成デバイスを用いて、前記フィルタリング及び内挿された画像を表示する段階とを含み、前記時間マルチプレキシングデバイスは重畳されたピクセル化デバイスのセットを形成するように少なくとも２つの表示位置の間で移動し、そのピクセル化ディスプレイの少なくとも２つは非整列である方法。
【請求項６８】
請求項６７の方法において、
重畳されたピクセル化画像形成デバイスの中の記録された画像のエネルギを分割する段階を更に含み、この分割は人間の色知覚に従って前記画像形成デバイスの中から重み付けされる方法。